(57)【要約】【課題】プラズマディスプレイパネルを流れる駆動電流に起因する電磁妨害波を低減することができるプラズマディスプレイ装置を提供すること。【解決手段】駆動電流の流れる電極を有するプラズマディスプレイパネルと、前記プラズマディスプレイパネルを保持するとともに前記駆動電流の帰路を形成するシャーシ導体と、前記プラズマディスプレイパネルおよび前記シャーシ導体を内包する導電筐体と、前記シャーシ導体と前記導電筐体とを結合し、流れる電流の周波数によって異なる結合状態で結合する結合部とを備え、前記結合部は、流れる電流量が短絡状態の半分以下になる結合状態と半分以上になる結合状態を有する。【選択図】図１
2009251065.tif 000002
【特許請求の範囲】
【請求項１】
駆動電流の流れる電極を有するプラズマディスプレイパネルと、
前記プラズマディスプレイパネルを保持するとともに前記駆動電流の帰路を形成するシャーシ導体と、
前記プラズマディスプレイパネルおよび前記シャーシ導体を内包する導電筐体と、
前記シャーシ導体と前記導電筐体とを結合し、流れる電流の周波数によって異なる結合状態を有する結合部とを備え、
前記結合部は、
流れる電流量が短絡状態の半分以下になる結合状態と半分以上になる結合状態を有する、プラズマディスプレイ装置。
【請求項２】
前記結合部は、
前記駆動電流の基本周波数では、流れる電流量が短絡した状態の半分以下の結合状態であり、１ＧＨｚでは、短絡した状態の半分以上の結合状態である、請求項１記載のプラズマディスプレイ装置。
【請求項３】
前記結合部は、
流れる電流量が短絡した状態の半分以下の結合状態から半分以上の結合状態となる周波数の境界が３０ＭＨｚ以上１００ＭＨｚ以下に存在する、請求項２記載のプラズマディスプレイ装置。
【請求項４】
前記結合部は、
前記シャーシ導体の一部と前記導電筐体部の一部を対向させてキャパシタを構成してなる、請求項１記載のプラズマディスプレイ装置。
【請求項５】
前記結合部は、
前記シャーシ導体の一部と前記導電筐体部の一部において、一方に凹部を有し、他方を前記凹部内に配して形成される、請求項４記載のプラズマディスプレイ装置。
【請求項６】
前記結合部は、
前記電極のうち走査・維持電極の方向に垂直な前記シャーシ導体の端辺と前記導電筐体とを結合している、請求項１記載のプラズマディスプレイ装置。
【発明の詳細な説明】
【技術分野】
【０００１】
本発明は、大画面で薄型のディスプレイ装置として知られているプラズマディスプレイ装置に関する。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
プラズマディスプレイ装置は、主としてプラズマディスプレイパネルを有するプラズマディスプレイモジュールとそのモジュールを囲んでシールドする導電筐体によって構成されている。
【０００４】
このプラズマディスプレイパネルは、ガス放電により発生した紫外線によって各放電セルに設けられた蛍光体を励起して可視光を発生させて表示光とするディスプレイである。プラズマディスプレイパネルは、複数の電極（表示電極対およびアドレス電極）が格子状に配列され、各電極の交差部となる放電セルを選択的に発光させることにより画像を形成する。この原理により、電極には駆動のための大きな電流が流れるため、プラズマディスプレイモジュールからはこの電流によって電磁界が発生する。
【０００５】
発生する電磁界をシールドするための導電筐体は、例えば、導電性のフィルタの貼り付けられた前面ガラスと、背面側の導電性バックカバーとを、導電性の部材で接続して、プラズマディスプレイモジュールを囲む構成をとり、発生する電磁界を電磁気的に遮蔽している。
【０００６】
しかし、近年の高画質化に伴う駆動電力の増加等により、従来のシールド構成では確実に電磁界を低減することが困難になってきている。特に数十ＭＨｚ以下の低周波領域においては、従来のシールドではこれらの電磁界を十分に低減することはできず、ノイズとして外部に放射してしまうという課題があった。
【０００７】
このような課題に対し、プラズマディスプレイ装置の一端側に設けられた駆動用基板と他端に設けられた駆動用基板の間を接続している接地戻り導体板に、隣接導体筒を設け、この隣接導体筒に発生する渦電流により接地戻り導体板のインダクタンス分を打ち消すようにしたものが提案されている（例えば、特許文献１参照）。
【０００８】
また、駆動回路の出力インピーダンスと貫通コンデンサとでローパスフィルタを形成し、駆動回路からパネルへ伝わる高周波ノイズ成分を静電容量を通じてグランドに排出する構成が提案されている（例えば、特許文献２参照）。
【０００９】
また、駆動源と負荷回路との間の閉じた電流経路が少なくとも２つのループ形状経路を形成するようにし、各ループ形状回路で生じる磁界を互いに打ち消しあうプラズマディスプレイ装置が提案されている（例えば、特許文献３参照）。
【００１０】
また、プラズマディスプレイパネルを保持するシャーシ導体をバックカバーに接続して駆動回路基板を囲んでシールドする構成としたプラズマディスプレイ装置が提案されている（例えば、特許文献４参照）。
【特許文献１】特開２００１−８３９０９号公報
【特許文献２】特開平１０−２８２８９６号公報
【特許文献３】特開２００５−２２１７９７号公報
【特許文献４】特開平１０−２８２８９６号公報
【発明の開示】
【発明が解決しようとする課題】
【００１１】
しかしながら、特許文献１に記載のプラズマディスプレイ装置においては、パネルと接地戻り導体板の内側に低減効果が期待できる大きさの隣接導体筒を挿入すると流れる電流のループ面積全体が拡大して低減しようとする電磁界そのものも増加して低減効果が薄れるという課題がある。
【００１２】
また、特許文献２のプラズマディスプレイ装置においては、駆動回路の負荷にフィルタが直接形成されるため、駆動波形に大きく影響してパネル自体の発光が不十分となる。よって、フィルタによる低減効果とパネルの発光の安定性がトレードオフとなり、結局は電磁界の低減効果が十分に得られないという課題がある。
【００１３】
また、特許文献３のプラズマディスプレイ装置においては、駆動電流の経路自体が延長されるため、駆動信号波形等の調整が必要になる。また、２つのループ形状で生じる電磁界を完全に打ち消すように構成するのが難しく、十分な低減効果を得ることが困難であるという課題がある。
【００１４】
また、特許文献４のプラズマディスプレイ装置においては、駆動回路基板自体はシールド効果が増すものの、プラズマディスプレイパネルとシャーシ導体間に流れる電流により発生する電磁界は十分に低減することはできないという課題がある。
【００１５】
本発明は上記課題に鑑みてなされたものであり、プラズマディスプレイパネルを流れる駆動電流に起因する電磁ノイズを効率的に低減することができるプラズマディスプレイ装置を提供することを目的とする。
【課題を解決するための手段】
【００１６】
上記目的は以下のプラズマディスプレイ装置により達成できる。当該目的を達成するためのプラズマディスプレイ装置は、駆動電流の流れる電極を有するプラズマディスプレイパネルと、前記プラズマディスプレイパネルを保持するとともに前記駆動電流の帰路を形成するシャーシ導体と、前記プラズマディスプレイパネルおよび前記シャーシ導体を内包する導電筐体と、前記シャーシ導体と前記導電筐体とを結合し、流れる電流の周波数によって異なる結合状態で結合する結合部とを備え、前記結合部は、流れる電流量が短絡状態の半分以下になる結合状態と半分以上になる結合状態を有する、プラズマディスプレイ装置である。
【発明の効果】
【００１７】
本発明によるプラズマディスプレイ装置によれば、プラズマディスプレイパネルを流れる駆動電流に起因する電磁ノイズを効率的に低減させることができる。
【発明を実施するための最良の形態】
【００１８】
以下、プラズマディスプレイ装置等の実施の形態について図面を参照して説明する。なお、実施の形態において同様の動作を行う構成要素に同じ符号を付し、再度の説明を省略する場合がある。
【００１９】
（実施の形態１）
＜１．構成＞
まず、実施の形態１に係るプラズマディスプレイ装置の構造について説明する。図１から図６は、実施の形態１に係るプラズマディスプレイ装置を示している。図１（ａ）はこの発明の実施の形態１に係るプラズマディスプレイ装置の構成を説明するための正面図である。図１（ｂ）は図１（ａ）の線分ａ−ａにおける横断面概略図である。これらの図は実施の形態としての不要電磁波輻射に深く関連する構造物のみを示している。図２は実施の形態１に係るプラズマディスプレイ装置におけるプラズマディスプレイモジュールの構成を説明するための斜視図である。図３（ａ）は実施の形態１に係るプラズマディスプレイ装置におけるプラズマディスプレイパネルの電極構造を説明するための斜視図である。図３（ｂ）はその断面図である。図４は実施の形態１のプラズマディスプレイ装置における導電性前面フィルタの構造を説明するための斜視図である。図５はシャーシ導体とガラス押さえ金具と結合部の関係を示した概略図である。図６は結合部の拡大図である。
【００２０】
以下、説明の便宜のために、プラズマディスプレイ装置１の表示面の法線方向をｘ軸、プラズマディスプレイ装置１の表示面の長手方向をｙ軸、ｘ軸およびｙ軸に直交する方向をｚ軸と呼ぶ場合がある。
【００２１】
＜１−１．プラズマディスプレイモジュールの構成＞
図１および図２において、本発明の実施の形態１に係るプラズマディスプレイ装置１におけるプラズマディスプレイモジュール２は、長手方向に平行な走査・維持電極１４および短手方向に平行なアドレス電極１５を有するプラズマディスプレイパネル１０を有している。また、非表示面側にはプラズマディスプレイパネル１０の保持板であるシャーシ導体１１が熱伝導シート（図示せず）を介して配置されている。
【００２２】
走査・維持電極用駆動回路基板１２ａ、アドレス電極用駆動回路基板１２ｂ、中継回路基板１２ｃ、放電制御回路基板１２ｄは、シャーシ導体１１の背面側に配置されている。
【００２３】
走査・維持電極用駆動回路基板１２ａから発生した駆動信号は、フレキシブルケーブル１３ａによってプラズマディスプレイパネル１０の走査・維持電極１４に伝えられる。
【００２４】
放電制御回路基板１２ｄで発生した高周波信号は、フレキシブルケーブル１３ｄによって中継回路基板１２ｃに伝えられる。次に、フレキシブルケーブル１３ｃによってアドレス電極用駆動回路基板１２ｂに伝えられる。そして、アドレス電極用駆動回路基板１２ｂで駆動信号が発生して、フレキシブルケーブル１３ｂによってプラズマディスプレイパネル１０のアドレス電極１５に伝えられる構成となっている。
【００２５】
＜１−２．導電筐体の構成＞
プラズマディスプレイモジュール２の外側には、バックカバー１６、ガラス押さえ金具１７、前面ガラス１８、前面キャビネット１９、導電性前面フィルタ２０、導電性ガスケット２１がプラズマディスプレイモジュール２を内包するように構成されている。このうちバックカバー１６、ガラス押さえ金具１７、前面ガラス１８に貼り付けられた導電性前面フィルタ２０、導電性ガスケット２１によって導電筐体が構成される。
【００２６】
＜１−３．プラズマディスプレイパネルの構成＞
プラズマディスプレイパネル１０は、図３に示すように、前面ガラス板１０１と背面ガラス板１０２とが貼り合わされる構造となっている。前面ガラス板１０１には誘電体層１０３が形成されている。走査電極１４ａと維持電極１４ｂとからなる走査・維持電極１４は、誘電体層１０３に保護される形で多数形成される。背面ガラス板１０２にも誘電体層１０３が形成されている。アドレス電極１５は同様に誘電体層１０３に保護される形で多数形成される。
【００２７】
走査・維持電極１４とアドレス電極１５との交差位置で、走査・維持電極１４とアドレス電極１５とに挟まれた部分が放電セル１０４である。放電セル１０４には、ヘリウム（Ｈｅ）、ネオン（Ｎｅ）、キセノン（Ｘｅ）等の希ガスを含む放電ガスが封入されている。放電セル１０４は、隔壁１０５で区画されて形成されている。各放電セル内は、赤、青、緑の蛍光体１０６ａ〜１０６ｃが塗り分けられている。
【００２８】
＜１−４．シャーシ導体の構成＞
シャーシ導体１１は、熱伝導率および電気伝導率の高いアルミニウム、銅等の金属板で構成されている。シャーシ導体１１は、一方の面（前面）には熱伝導シートを介してプラズマディスプレイパネル１０が取り付けられ、他方の面（背面）には、各駆動回路基板等が取付けられている。各駆動回路基板等は、シャーシ導体１１と平行になるように取り付けられている。シャーシ導体１１は、各駆動回路基板等のグラウンドと接続されている。
【００２９】
シャーシ導体１１は、プラズマディスプレイパネル１０や各駆動回路基板等を保持し、これらの強度を保つ強度部材として機能する。また、シャーシ導体１１は、各駆動回路基板等の電気的なグラウンドとして、上述した駆動信号の電流帰路として機能する。例えば、走査・維持電極用駆動回路基板１２ａのシグナルグラウンドはＡ点で、アドレス電極用駆動回路基板１２ｂのシグナルグラウンドはＢ点で、中継回路基板１２ｃのシグナルグラウンドはＣ点で、放電制御回路基板１２ｄのシグナルグラウンドはＤ点で、それぞれフレームグラウンドであるシャーシ導体１１に接地されている。
【００３０】
＜１−５．導電性前面フィルタの構成＞
導電性前面フィルタ２０は、図４に示すように、ベース層２０１、導電層２０２、金属端部２０３、保護膜２０４からなる。ベース層２０１は、ポリエステルフィルムなどからなる。導電層２０２は、ベース層２０１上に銅などの金属メッシュ形成またはスパッタ形成されている。金属端部２０３は、金属箔形状を有し、導電層２０２の周縁部に形成されている。保護膜２０４は、透明な絶縁樹脂で導電層２０２上に形成されている。金属端部２０３は保護膜２０４で覆われていないので、電気的な接続箇所として機能する。
【００３１】
なお、導電層２０２としては、金属メッシュで形成したものとして銅メッシュ、スパッタで形成したものとして銀スパッタなどが用いられる。なお、金属メッシュの方が抵抗率が低いため、高いシールド効果が得られる。
【００３２】
＜１−６．前面ガラスの構成＞
前面ガラス１８は、プラズマディスプレイパネル１０の前面側に配置される。前面ガラス１８の裏面（表示面と反対側）には、導電性前面フィルタ２０が貼り付けられている。前面ガラス１８は、表示面の衝撃を保護する機能を果たしている。
【００３３】
＜１−７．ガラス押さえ金具の構成＞
ガラス押さえ金具１７は、前面キャビネット１９との間で前面ガラス１８を挟むことで前面ガラス１８を固定する。ガラス押さえ金具１７は、前面ガラス１８に貼り付けられた導電性前面フィルタ２０の金属端部２０３と導電性の接触部材である導電性ガスケット２１を介して電気的に接触するように配置される。さらにガラス押さえ金具１７は、導電性ガスケット２１を介してバックカバー１６とも接触している。
【００３４】
なお、導電性のガスケットとは例えばスポンジのような弾性材料の表面に金属繊維を貼り付けた構成である。ここでは導電性の接触部材として導電性のガスケットを用いたが、これに限られない。すなわち導電性を有し、２つの部材間の電気的接触の安定性を確保するものであればよい。例えば、導電性のバネ部をガラス押さえ金具１７に形成してもよい。このようにすれば、低コスト化が可能である。
【００３５】
＜１−８．バックカバーの構成＞
バックカバー１６は、導電性の金属板をプレス成形することにより形成される。バックカバー１６は、プラズマディスプレイパネル１０の背面と各駆動回路基板等を覆うようにガラス押さえ金具１７に固定されている。バックカバー１６は、プラズマディスプレイパネル１０や各駆動回路基板等から放射される電磁波を遮蔽する役割を担っている。バックカバー１６は、導電性前面フィルタ２０、ガスケット２１、ガラス押さえ金具１７とともに導電筐体を形成している。
【００３６】
＜１−９．結合部の構成＞
図５に示すように、シャーシ導体１１とガラス押さえ金具１７との間には、第１結合部２２ａ、第２結合部２２ｂが設けられている。第１結合部２２ａは、電極１４の方向と平行な端辺、つまり本実施の形態においてはシャーシ導体１１の長手方向の辺に設けられている。第２結合部２２ｂは、電極１４の方向と垂直な端辺、つまり本実施の形態においてはシャーシ導体１１の短手方向の辺に設けられている。ここで、結合とは物理的に結合している場合に限られず、電気的に結合されている場合も含む概念である。
【００３７】
第１結合部２２ａおよび第２結合部２２ｂの形状を図６（ａ）に示す。第１結合部２２ａおよび第２結合部２２ｂは、ガラス押さえ金具１７が凹形状を有し、シャーシ導体１１の一部がその中に非接触に配されて構成されている。このとき、シャーシ導体１１とガラス押さえ金具１７が所定の面積で対向して形成されている。よって、電気的に結合してキャパシタとして機能する。
【００３８】
このようにキャパシタを形成することで、低周波領域では電流は流れにくく、周波数が高くなるにつれて抵抗値が小さくなり電流が流れるようになる構成を簡易に実現することが可能である。なお、キャパシタの構成としてはこれに限られない。ガラス押さえ金具１７とシャーシ導体１１の一部によってキャパシタ機能を実現できれば他の方法であってもよい。例えば凹形状を形成せずとも平面同士が対向しているだけの構成であってもよい。このようにすれば、低コストで実現でき、組み立ても容易である。凹形状にすれば対向面積を省スペースで増やすことができる。
【００３９】
＜２．動作および作用・効果＞
次に、本実施の形態に係るプラズマディスプレイ装置１において、駆動電流による電磁妨害波の不要輻射が低減される原理および動作について、プラズマディスプレイパネルの動作原理に基づいて説明する。
【００４０】
＜２−１．プラズマディスプレイパネルの動作＞
まず、プラズマディスプレイパネル１０の画像表示原理について図２を参照しながら説明する。最初に、走査電極１４ａの全ラインに電圧を印加して全部の放電セルで放電を起こす初期化放電を行う。次に、走査電極１４ａに順次電圧を印加するとともに、電圧が印加された走査電極上で発光させたい放電セルと交わるアドレス電極１５にも電圧を印加する。これをアドレス放電といい、電圧が印加された走査電極１４ａとアドレス電極１５とが交わる位置の放電セルが発光し、該放電セルが発光セルとして選択される。その後、走査電極１４ａと維持電極１４ｂとの間に交流電圧を印加する維持放電を行う。維持放電の印加電圧は基本周波数１８０ｋＨｚの矩形波を用いている。維持放電により、先程選択された発光セルのみが発光し、プラズマディスプレイパネルは画像を表示する。ここで、アドレス放電や維持放電により電極に流れる電流を駆動電流と呼ぶ。
【００４１】
＜２−２．電磁妨害波低減の原理＞
次に、駆動電流による電磁妨害波が低減される原理および動作について図７を参照しながら説明する。図７は駆動電流による電磁妨害波が低減される原理を示す図である。
【００４２】
一般にループ状の電流３０が流れるとき、アンペールの法則によりこのループを形成する平面に対して垂直方向に強い磁界３１が発生する。このループ電流３０を包含するような位置にリング状の導体３２が置かれた場合、電磁誘導効果によりこの導体に逆起電力が生じる。そして、リング状の導体３２にはもとのループ電流３０とは逆方向の電流３３が誘導される。このリング状の導体３２をショートリングと呼ぶ。この誘導された電流３３による発生磁界３４はもとのループ電流による発生磁界３１と逆方向に発生する。そのため、もとの発生磁界３１をキャンセルする効果を持つ。
【００４３】
＜２−３．作用・効果＞
上述の原理を図１の構成に適用して説明する。まず、維持放電に関して説明する。走査・維持電極用駆動回路基板１２ａから駆動される基本波１８０ｋＨｚの信号の駆動電流は、フレキシブルケーブル１３ａ、プラズマディスプレイパネル１０の走査・維持電極１４およびシャーシ導体１１を流れてｘ−ｙ平面に略平行なループ状に流れる。さらに、ループ状の駆動電流はアンペールの法則により垂直方向（図１ではｚ方向に平行な方向）に磁界を発生させる。
【００４４】
同様にアドレス放電に関して説明する。駆動電流は、フレキシブルケーブル１３ｂ、プラズマディスプレイパネル１０のアドレス電極１５およびシャーシ導体１１などを流れてｚ−ｘ平面に略平行なループ状に流れる。さらに、ループ状の駆動電流はアンペールの法則により水平方向（図１ではｙ方向に平行な方向）に磁界を発生させる。
【００４５】
図８は、本発明に係るプラズマディスプレイ装置１において上述したショートリング機能が構成されることを説明する分解斜視図である。図９は結合部を流れる電流と周波数の関係を説明するための説明図である。図８より、第１結合部２２ａ、第２結合部２２ｂともに絶縁状態（開放状態）の場合、導電性前面フィルタ２０、ガスケット２１、ガラス押さえ金具１７およびバックカバー１６によって形成されるシールド筐体がシャーシ導体１１と分離されている。また、シールド筐体の横方向（ｘ−ｙ平面）断面のループ形状がプラズマディスプレイモジュール２における維持放電時の駆動電流のループと略平行となる。さらに、シールド筐体の縦方向（ｚ−ｘ平面）断面のループ形状がプラズマディスプレイモジュール２におけるアドレス放電時の駆動電流のループと略平行となる。よって、上述した原理に従って、プラズマディスプレイモジュール２から発生する磁界を打ち消すように駆動電流とは逆向きのループ電流が導電性前面フィルタ２０、ガスケット２１、ガラス押さえ金具１７およびバックカバー１６からなるループ上に励起される。図８の矢印は、維持放電時に励起されるループ電流を示している。
【００４６】
このように、第１結合部２２ａ、第２結合部２２ｂともに絶縁状態の構成によれば、駆動電流のループが作る磁界に対してシールド筐体がショートリングの役割を果たすことで磁界のキャンセル効果が得られる。結果として大きなノイズ低減効果を得ることができる。
【００４７】
図９は、結合部を流れる電流と周波数の関係を説明するための説明図である。本実施の形態においては、第１結合部２２ａ、第２結合部２２ｂはともに図９のＬ１に示すような特性を有する。つまり、流れる電流量が短絡状態の半分以下になる結合状態と半分以上になる結合状態を有している。言い換えれば、流れる電流量が短絡状態よりも開放状態に近い結合状態と、開放状態よりも短絡状態に近い結合状態とを有している。特に、第１結合部２２ａ、第２結合部２２ｂは少なくとも維持放電の駆動電流における基本周波数１８０ｋＨｚではほぼ開放状態となるように設計されている。また、少なくとも電磁妨害の国際規格ＣＩＳＰＲや国内の電気用品安全法などで規制されている放射電界の法規格上限である１ＧＨｚではほぼ短絡状態となるように設計されている。なお、図９のＬ３が開放状態、Ｌ４が短絡状態を示している。流れる電流量が短絡状態の半分以下になる結合状態となる周波数や、半分以上になる結合状態となる周波数は、シャーシ導体１１とガラス押さえ金具１７の対向面積と距離によって決まるキャパシタンスによって決定される。よって、任意の値に調整可能である。
【００４８】
上述した維持放電時の駆動電流は、その高調波の影響で約１０ＭＨｚ以下の周波領域で特に大きなノイズを発生させる。また、具体的な設計仕様によっては、１００ＭＨｚ程度まで本ノイズの影響が出る場合も少なくない。よって、これらを効率的に低減させるためには、第１結合部２２ａおよび第２結合部２２ｂは１００ＭＨｚ以下では短絡状態よりも開放状態に近い結合状態になるように設定することが好ましい。
【００４９】
また、電磁妨害の国際規格ＣＩＳＰＲや国内の電気用品安全法などで規制されている放射電界の法規格下限は３０ＭＨｚである。３０ＭＨｚ以上の周波数領域では、高周波のノイズ成分を発する信号処理回路（図示せず）からのノイズの発生が顕著になってくる。これら信号処理回路からのノイズを抑えるには、回路のグラウンドが低インピーダンスで安定していることが望ましい。シャーシ導体１１はこれら回路のプリント基板のグラウンド機能を果たしている。そのため、第１結合部２２ａおよび第２結合部２２ｂが絶縁となることは好ましくない。よって、３０ＭＨｚ以上ではできるだけ電気的な接続を増やして低インピーダンスにすることが好ましい。つまり、第１結合部２２ａおよび第２結合部２２ｂは３０ＭＨｚ以上では開放状態よりも短絡状態に近い結合状態になるように設定することが好ましい。
【００５０】
これら駆動電流に起因するノイズと信号処理回路に起因するノイズの両方の観点から、図９のＬ１に示すように、カットオフ周波数（流れる電流量が短絡した状態の半分以下の結合状態から半分以上の結合状態となる境界周波数）を３０ＭＨｚ以上１００ＭＨｚ以下とすることが好ましい。このようにすれば、パネルの駆動電流に起因するノイズを効率的に低減することが可能になるとともに、信号処理回路に起因するノイズを悪化させることなく、両方の効果を得ることが可能となる。
【００５１】
なお、これらの周波数はこの範囲に限られるものではない。パネルの駆動電流に起因するノイズの影響度合いと、信号処理回路に起因するノイズの影響度合いによって、適宜最適値に設定することが可能である。例えば、３０ＭＨｚ付近で信号処理回路に起因するノイズが大きいような場合は、カットオフ周波数を１０ＭＨｚ以上３０ＭＨｚ以下に設定してもよい。こうすることで、パネル駆動電流によるノイズの大きい１０ＭＨｚ以下ではショートリング効果を確保しつつ、３０ＭＨｚ付近でのシャーシ導体１１の低インピーダンス効果を確保することができる。
【００５２】
＜３．変形例＞
次に、実施の形態１の変形例について、図６（ｂ）を参照しながら説明する。図６（ｂ）は第１結合部２２ａおよび第２結合部２２ｂの構成として、ガラス押さえ金具１７とシャーシ導体１１の結合部を拡大した説明図である。変形前の実施形態と比べて、結合部の構造が異なっている。
【００５３】
本変形例においては、第１結合部２２ａおよび第２結合部２２ｂはガラス押さえ金具１７とシャーシ導体１１との間にキャパシタ部品を用いて構成している。
【００５４】
このように構成すれば、キャパシタンスの値を設定するのに対向面積等の計算を必要とせずに設定することが可能である。
【００５５】
なお、本変形例においてはキャパシタ部品を用いたが、これに限られるものではない。すなわち、ノイズに応じて、流れる電流量が短絡状態の半分以下になる結合状態と半分以上になる結合状態を有しているようなフィルタ機能を備えるものであれば他のものを用いることも可能である。例えば、図９のＬ２に示すように３０ＭＨｚ以上１００ＭＨｚ以下にカットオフ周波数を有する特性を持ったＲＣ回路のハイパスフィルタを用いてもよい。また、３０ＭＨｚ以上１ＧＨｚ以下を通す特性を持ったバンドパスフィルタを用いてもよい。
【００５６】
（実施の形態２）
次に、本発明の実施の形態２について、図６（ｃ）および図１０を参照しながら説明する。実施の形態２は実施の形態１と比べて、第１結合部の構成が異なる。
【００５７】
＜１．構成＞
本実施形態においては、図１０に示すように、実施の形態１における第１結合部２２ａの代わりに第１結合部２２ｃを用いている。第１結合部２２ｃは、図６（ｃ）に示すように、ネジ２３で接続されている。つまり実施の形態１のようなキャパシタンス機能は有していない。
【００５８】
＜２．作用・効果＞
上述したように、維持放電時の駆動電流は、シャーシ導体１１およびシャーシ導体１１の長手方向に平行な、走査電極１４ａと維持電極１４ｂとを流れる。つまり、図１０のｘ−ｙ平面に平行なループを形成する。このループに対してショートリングを形成するには、シャーシ導体１１の左右端辺、つまり第２結合部２２ｂが開放状態に近い結合状態となればよい。このようにすれば、導電性前面フィルタ２０、ガスケット２１、ガラス押さえ金具１７およびバックカバー１６からなるシールド筐体においてショートリング機能を持たせることが可能になる。
【００５９】
この構成により、第２結合部２２ｂは実施の形態１と同様に３０ＭＨｚ以上１００ＭＨｚ以下の範囲内にカットオフ周波数が来るようにして、ｘ−ｙ平面ではショートリング機能を実現している。第１結合部２２ｃは、ネジ２３でしっかり固定されて電気的に接続される。そのため、いずれの周波数でも短絡状態であり、ｚ−ｘ平面のショートリングは構成されていない。
【００６０】
３０ＭＨｚ以上の周波数領域では、高周波のノイズ成分を発する信号処理回路（図示せず）からのノイズの発生が顕著になってくるので、第２結合部２２ｂが開放状態となることは好ましくない。よって、３０ＭＨｚ以上１００ＭＨｚ以下の範囲内でカットオフ周波数が来るようにすることで、できるだけ電気的接続を増やして低インピーダンスにするようにしている。
【００６１】
本実施の形態では、特にアドレス放電時に比べ大きな駆動電流が流れる維持放電時の駆動電流のループが作る磁界に対して、シールド筐体がショートリングの役割を果たすことでキャンセル効果が生じる。結果として、ノイズ低減効果を得ることができる。さらに、第１結合部２２ｃがネジ２３で固定されているため、特に別途固定方法を用いることなくシャーシ導体１１を固定した上で本発明の効果を奏することが可能となる。
【００６２】
なお、第１結合部２２ｃの結合方法としては、ネジ２３に限られるものではなく、安定して固定されるものであれば、他の方法であってもよい。例えば鈎針形状を設けて引っ掛けるようなものであってもよい。このようにすれば、ネジ２３を用いるよりも低コストで構成することができる。
【００６３】
なお、本実施の形態においては、維持放電時の駆動電流ループのみをキャンセルするように第１結合部２２ｃを形成する構成としたが、これに限られない。例えば、アドレス放電時には表示面短手方向（例えば図８のｚ−ｘ平面）に流れる電流ループが形成されるので、第１結合部にキャパシタ機能を持たせ、第２結合部をネジで固定してもよい。このようにすれば、アドレス放電時に伴う電磁妨害波のみを低減することも可能である。
【００６４】
また、上記の実施の形態１および２においては、駆動電流の基本周波数である１８０ｋＨｚでは流れる電流量が短絡した状態の半分以下の結合状態であり、放射電界の法規格上限である１ＧＨｚでは、短絡した状態の半分以上の結合状態である形態を挙げたが、これらに限られない。流れる電流量が短絡した状態の半分以下の結合状態と流れる電流量が短絡した状態の半分以上の結合状態をノイズの状況等に応じて適宜設定可能である。例えば、パネルの駆動電流に起因するノイズの内、１０ＭＨｚ付近のみ低減させたい場合は、１０ＭＨｚ付近のみ短絡した状態の半分以下の結合状態として、その他の周波数では短絡した状態の半分以上の結合状態とすることも可能である。
【００６５】
上記の実施の形態１および２において用いた具体的な数値等は、単に一例を挙げたに過ぎず、プラズマディスプレイパネルの特性やプラズマディスプレイ装置の仕様等に合わせて、適宜最適な値に設定することが可能である。
【産業上の利用可能性】
【００６６】
以上のように、本発明にかかるプラズマディスプレイ装置は、プラズマディスプレイパネルを流れる電流により発生する電磁妨害波を効果的に低減可能なプラズマディスプレイ装置等として有用である。
【図面の簡単な説明】
【００６７】
【図１】（ａ）本発明に係るプラズマディスプレイ装置の構成を説明するための正面概略図、（ｂ）図１（ａ）の線分ａ−ａにおける横断面概略図
【図２】プラズマディスプレイモジュールの構成を説明するための斜視図
【図３】（ａ）プラズマディスプレイ装置におけるプラズマディスプレイパネルの電極構造を説明するための斜視図、（ｂ）プラズマディスプレイ装置におけるプラズマディスプレイパネルの電極構造を説明するための断面図
【図４】導電性前面フィルタの構造を説明するための斜視図
【図５】本発明の実施の形態１に係るシャーシ導体とガラス押さえ金具と結合部の関係を説明するための概略図
【図６】（ａ）実施の形態１に係るプラズマディスプレイ装置における第１および第２結合部の拡大図、（ｂ）実施の形態１に係るプラズマディスプレイ装置の変形例における第１および第２結合部の拡大図、（ｃ）実施の形態２に係るプラズマディスプレイ装置における第１結合部の拡大図
【図７】パネル駆動電流による電磁妨害波が低減される原理を示す説明図
【図８】本発明に係るプラズマディスプレイ装置においてショートリング機能が構成されることを説明する分解斜視図
【図９】結合部を流れる電流と周波数の関係を説明するための説明図
【図１０】本発明の実施の形態２に係るシャーシ導体とガラス押さえ金具と結合部の関係を説明するための概略図
【符号の説明】
【００６８】
１  プラズマディスプレイ装置
２  プラズマディスプレイモジュール
１０  プラズマディスプレイパネル
１１  シャーシ導体
１２ａ  走査・維持電極用駆動回路基板
１２ｂ  アドレス電極用駆動回路基板
１２ｃ  中継回路基板
１２ｄ  放電制御回路基板
１３ａ、１３ｂ、１３ｃ、１３ｄ  フレキシブルケーブル
１４  走査・維持電極
１５  アドレス電極
１６  バックカバー
１７  ガラス押さえ金具
１８  前面ガラス
１９  前面キャビネット
２０  導電性前面フィルタ
２１  導電性ガスケット
２２ａ、２２ｃ  第１結合部
２２ｂ  第２結合部
３０  ループ電流
３１  ループ電流による発生磁界
３２  リング状導体
３３  誘起電流
３４  誘起電流による発生磁界
１０１  前面ガラス板
１０２  背面ガラス板
１０３  誘電体層
１０４  放電セル
１０５  隔壁
１０６ａ、１０６ｂ、１０６ｃ  蛍光体
２０１  ベース層
２０２  導電層
２０３  金属端部
２０４  保護膜
【図４】
2009251065.tif 000003
【図５】
2009251065.tif 000004
【図６】
2009251065.tif 000005
【図７】
2009251065.tif 000006
【図９】
2009251065.tif 000007
【図１０】
2009251065.tif 000008
【図１】
2009251065.tif 000009
【図２】
2009251065.tif 000010
【図３】
2009251065.tif 000011
【図８】
2009251065.tif 000012